(57)【要約】      （修正有） 【課題】蓋体の着脱を行う圧力調理容器において、一挙動で蓋体の開閉が出来る様にした蓋体の開閉構造を提供する。【解決手段】作動アームを覆うカバー体３３の中心箇所に、作動アーム動作方向を軸方向とする回動体を内装し、回動体の軸部両端と連結した釣り手状の回動把手（操作部）３５を設け、作動アームの連結突起と回動体のガイド溝を嵌合し、回動把手倒伏時にロック状態とし、回動把手起立時にアンロック状態として、回動把手の保持状態から倒伏へ、回動把手の起立動作から把持へと一連の動作で蓋体の開閉を行うことができるようにした。【選択図】図１
0003174577.tif 000002
【実用新案登録請求の範囲】
【請求項１】
蓋体装着時に、蓋本体の外周裏面に設けたパッキンを容器体のフランジに重ね合わせて密閉を確保する圧力調理容器であって、蓋本体の外周縁上面と容器体のフランジを上下で挟圧する弧状の係止片を、蓋体上面の半径方向に配置した作動アームに連結し、作動アームを半径方向に動作させる操作部を備え、操作部を動かして蓋体の着脱を行う圧力調理容器の蓋体開閉構造において、蓋本体に固着して作動アームを覆うカバー体を設け、前記カバー体の中心箇所に作動アームの動作方向を軸方向とする回動体を内装し、前記回動体の両端軸部と連結してカバー体外方に露出する釣り手状の回動把手を設けて操作部とし、作動アームの各中心側に連結突起を上方へ突設し、前記回動体に前記連結突起が嵌合するガイド溝を形成すると共に、前記ガイド溝を、回動把手倒伏時に連結突起嵌合位置が近接して係止片が容器体のフランジ下方に位置し、回動把手起立状態への移行に対応して連結突起嵌合位置が徐々に離れ、回動把手起立時に係止片が容器体のフランジの外側に位置する形状としてなる圧力調理容器の蓋体開閉構造。
【請求項２】
作動アームの動作位置における蓋本体に、常圧時に下降して細径部が作動アーム高さに位置し、所定以上の高圧時に太径部が作動アーム高さに位置する圧力動作体を設けると共に、回動把手倒伏時には圧力動作体の太径部の上下動を可能とし、回動把手起立時には圧力動作体の太径部の上下動を阻止するダルマ型透孔を作動アームに設けて構成した安全機構を付設してなる請求項１記載の圧力調理容器の蓋体開閉構造。
【考案の詳細な説明】
【技術分野】
【０００１】
本考案は、圧力調理容器の蓋体開閉構造に関するものである。
【背景技術】
【０００２】
圧力調理容器は、周知のとおり蓋本体の外周裏面に設けたパッキンを容器体のフランジに重ね合わせて蓋体を容器体に装着し、調理時の容器体内の密閉を確保しているもので、蓋体の密閉装着をなす蓋体開閉構造としては、種々の形式のものが知られている。本考案は、特に蓋本体の外周縁上面と容器体のフランジを上下で挟圧する弧状の係止片を、蓋体上面の半径方向に配置した作動アームに連結し、作動アームを半径方向に動作させる操作部を備え、操作部を動かして蓋体の着脱（ロック・アンロック）を行う形式に係るものである。
【０００３】
前記形式の圧力調理容器の蓋体開閉機構の操作部としては、蓋体面（作動アーム動作面）と同一面（平行面）上で操作する構成のもの、蓋体面に対して鉛直方向で操作する構成のものが知られている。
【０００４】
前者の構成としては、操作部が半径方向に移動するように設けた器具（特許文献１：特開平８−９８７６６号公報）、操作部を水平回転操作する構造の器具（特許文献２：特開２００７−１９０１６８号公報）が知られており、後者の構成としては、操作部が上下回動レバー構造である器具（特許文献３：登録実用新案３１２５６１５号公報）、操作部が押し下げ動作構造である器具（特許文献４：登録実用新案３１６１８３９号公報）が知られている。
【先行技術文献】
【特許文献】
【０００５】
【特許文献１】特開平８−９８７６６号公報。
【特許文献２】特開２００７−１９０１６８号公報。
【特許文献３】登録実用新案３１２５６１５号公報。
【特許文献４】登録実用新案３１６１８３９号公報。
【考案の概要】
【考案が解決しようとする課題】
【０００６】
圧力調理容器の蓋体の開閉操作は、当然の如く蓋体装着時には蓋体の被冠動作と蓋体の密閉操作（操作部の動作）がなされ、蓋体取外時には蓋体の密閉解除操作（操作部の動作）蓋体の持ち上げ動作の二動作が必要である。
【０００７】
しかし操作部の動作が蓋体面と同一面上で操作する構成の器具は、開閉動作と被冠・持ち上げ動作が異なる方向の動きとなり、操作性に課題がある。
【０００８】
また前記特許文献３に開示されている器具は、回動操作レバーを採用している器具は、操作箇所（操作レバー）と蓋体の保持箇所（摘み体）が相違し、開閉動作がスムーズな一連動作では行われず、また歯車機構を採用しているので故障の原因になり易い。
【０００９】
更に特許文献４に開示しているものは蓋体装着に関しては蓋体の保持状態のまま蓋体を被冠し、そのまま操作部を押し下げて密閉することが可能であるが、蓋体の保持部分が円形摘みであり、一連の操作を行うには蓋体が持ち難く、また動作伝達機構としてリンク機構を採用しているので構造が簡素とは言えない。
【００１０】
そこで本考案は、構造が簡易で且つ蓋体の把手がそのまま操作部として機能する新規な
圧力調理容器の蓋体開閉構造を提案したものである。
【課題を解決するための手段】
【００１１】
本考案に係る圧力調理容器の蓋体開閉構造は、蓋体装着時に、蓋本体の外周裏面に設けたパッキンを容器体のフランジに重ね合わせて密閉を確保する圧力調理容器であって、蓋本体の外周縁上面と容器体のフランジを上下で挟圧する弧状の係止片を、蓋本体上面の半径方向に配置した作動アームに連結し、作動アームを半径方向に動作させる操作部を備え、操作部を動かして蓋体の着脱を行う圧力調理容器の蓋体開閉構造において、蓋本体に固着して作動アームを覆うカバー体を設け、前記カバー体の中心箇所に作動アームの動作方向を軸方向とする回動体を内装し、前記回動体の軸部両端と連結してカバー体外方に露出する釣り手状の回動把手を設けて操作部とし、作動アームの各中心側に連結突起を上方へ突設し、前記回動体に前記連結突起が嵌合するガイド溝を形成すると共に、前記ガイド溝を、回動把手倒伏時に連結突起嵌合位置が近接して係止片が容器体のフランジ下方に位置し、回動把手起立状態への移行に対応して連結突起嵌合位置が徐々に離れ、回動把手起立時に係止片が容器体のフランジの外側に位置する形状としてなるものである。
【００１２】
而して蓋体装着に際しては、起立した回動把手を保持して蓋体を容器体に被冠し、当該状態で回動把手をそのまま倒伏させると、回動体の回動に伴ってガイド溝に嵌合した連結突起を移動させ、同時に係止片を中心方向に移動させて蓋体外周縁上面と容器体のフランジを上下で挟圧してロック状態（蓋体の密閉装着状態）とする。
【００１３】
蓋体の取り外しは、前記操作とは逆で、倒伏状態の回動把手を起立させると、係止片が蓋体の外周へ離脱してアンロック状態となり、そのまま回動把手を保持したまま蓋体を持ち上げるものである。
【考案の効果】
【００１４】
本考案の構成は前記のとおりで、簡易な構造で故障が生ずる虞が無く、特に蓋体への装着並びに取外しが、回動把手を保持した状態で一連行うことができるもので、蓋体の開閉操作性を向上させたものである。
【図面の簡単な説明】
【００１５】
【図１】本考案の実施形態を示す全体斜視図（蓋体取外し時）。
【図２】同図（蓋体装着時）。
【図３】同蓋体の説明図（カバー体を外した状態）。
【図４】同作動体のロック時状態の説明図、（イ）は背面図（ロ）は背面斜視図。
【図５】同作動体のアンロック時状態の説明図、（イ）は背面図（ロ）は背面斜視図。
【図６】同蓋体の斜視図（安全弁側からの斜視）。
【考案を実施するための形態】
【００１６】
次に本考案の実施形態について説明する。実施形態に示した圧力調理容器は基本的に従前と同様に容器体Ａと蓋体Ｂで構成される。容器体Ａは、上縁をフランジとし、周面に持ち手（両手）ａを設けたものである。
【００１７】
蓋体Ｂは、蓋本体１と、蓋本体１に装着した安全弁機構２と、ロック機構（開閉構造）３とを備えてなり、蓋本体１は、基本的に従前と同様で外周を垂下縁として容器体Ａのフランジ外周に嵌合できる大きさで、外周裏面にパッキン（図示せず）を設け、ロック機構３の配置箇所以外の表面に安全弁機構２の装着孔１１を穿設して、所定の安全弁装置２が組み込まれるものである。更に蓋本体１には、後述するロック機構３のカバー体３３の装着用ボルト孔１２を設けてなる。
【００１８】
安全弁機構２は、従前公知のもので、圧力調理時の容器体Ａ内の圧力を所定に保つための圧力調整摘２１や、内部蒸気の放出口２２等を設けたものである。
【００１９】
ロック機構（開閉構造）３は、２個の係止片３１ａ，３１ｂ及び作動アーム３２ａ，３２ｂと、カバー体３３と、カバー体３３に内装した回動体３４と、カバー体３３の外方に露出する釣り手状の回動把手（操作部）３５と、蓋体開閉の安全機構を構成する圧力動作体３６を備えたものである。
【００２０】
係止片３１ａ，３１ｂは、蓋本体１の外周縁上面と容器体１のフランジを上下で挟圧可能とした断面コ状で且つ平面円弧状に形成され、蓋本体１の外縁に左右対称に配置されるものである。
【００２１】
作動アーム３２ａ，３２ｂは、各々の係止片３１ａ，３１ｂと連結して、蓋本体１の上面の半径方向に配置したもので、先端部分（蓋本体１の中心近傍）に連結突起３２１ａ，３２１ｂを上方へ突設すると共に、後述するカバー体３３の固着螺子３３１ａ，３３１ｂの各挿通長孔３２２ａ，３２２ｂと、圧力動作体３６の設置個所に圧力動作体３６の形状に対応する所定の大径部分及び中心側に連続する小径部分を備えたダルマ型透孔３２３を設けたものである。
【００２２】
カバー体３３は、前記の作動アーム３２ａ，３２ｂの全体を覆う形状で、裏面の所定位置に固定螺子３３１ａ，３３１ｂを突設したもので、固定螺子３３１ａ，３３１ｂを作動アーム３２ａ，３２ｂの前記挿通長孔３２１ａ，３２１ｂを通し、蓋本体１の裏面でナットを螺合緊締して蓋本体１に固着するものであり、ダルマ型透孔３２２と対応する位置に確認孔３３２を設けたものである。
【００２３】
回動体３４は、両端に作動アーム３２ａ，３２ｂの動作方向を軸方向とする軸部３４１を備えて、カバー体３３の中心位置に内装したもので、回動体３４の外周面には、作動アーム３２ａ，３２ｂの各連結突起３２１ａ，３２１ｂがそれぞれ嵌合するガイド溝３４２ａ，３４２ｂを設けたものである。このガイド溝３４２ａ，３４２ｂは、回動体３４が９０度回動する間に、左右の溝間距離が変化するハの字状に形成したもので、溝間距離の最近接時には嵌合した各連結突起３２１ａ，３２１ｂの近接で、係止片３１ａ，３１ｂが容器体Ａのフランジ下方に位置し、溝間距離が大きく各連結突起３２１ａ，３２１ｂが離れた位置では、係止片３１ａ，３１ｂが容器体Ａのフランジ外周より外側に位置するように形成したものである。
【００２４】
回動把手３５は、カバー体３３の外方に露出する釣り手状であり、回動体３４の軸部３４１と連結して、起立倒伏回動をなすように設けたもので、特に回動把手３５と回動体３４との連結角度は、回動把手３５の倒伏時にガイド溝３４２ａ，３４２ｂの溝間距離が近接し、回動把手３５の起立状態への移行に対応して溝間距離が離れるようにしたものである。
【００２５】
圧力動作体３６は、上部を細径部とし下方を太径部とした形状で、蓋本体１の所定位置に上下動可能に設けたもので、圧力調理に際して、容器体Ａ内の圧力が所定値以下の場合には下降して細径部が作動アーム３２ａの高さに位置し、高圧時に太径部が作動アーム３２ａの高さに位置するように組み込んでなるものである。
【００２６】
而して前記器具で圧力調理を実施するには、従前どおり蓋体Ｂを容器体Ａに装着して容器体Ａを密閉状態とするもので、蓋体Ｂの装着に際しては、回動把手３５が起立状態である。回動把手３５が起立していると、回動把手３５と連動する回動体３４の回動角度が定まり、ガイド溝３４２ａ，３４２ｂの溝間距離も離れ、ガイド溝３４２ａ，３４２ｂに連結突起３２１ａ，３２１ｂが嵌合しているので、係止片３１ａ，３１ｂは、容器体Ａのフランジの外側に位置することになる（アンロック状態）。従って回動把手３５の起立状態で蓋体Ｂを容器体Ａに被冠する。
【００２７】
蓋体Ｂを容器体Ａに被冠した後、そのまま回動把手３５を倒伏させると、回動体３４が回動し、ガイド溝３４２ａ，３４２ｂの溝間距離が近接し、作動アーム３２ａ，３２ｂは、固定螺子３３１ａ，３３１ｂをガイドとして半径方向に添って係止片３１ａ，３１ｂを中心側へ移動させ、蓋本体１の外周縁上面と容器体Ａのフランジを上下で挟圧してロック状態（蓋体の密閉装着状態）とするものである。
【００２８】
またロック状態では、ダルマ型透孔３２３の大径部分が圧力動作体３６の位置となるので、調理時並びに調理後で内圧（容器体Ａ内圧力）が高い場合には、圧力動作体３６が上昇してダルマ型透孔３２３の大径部分に進出している。従って内圧が高い状態では、回動把手３５を動作させようとしても、作動アーム３２ａの動作が圧力動作体３６によって阻止されており、アンロック状態に移行できない。
【００２９】
内圧が低下すると圧力動作体３６が下降して作動アーム３２ａの半径方向の動作が可能となり、回動把手３５の起立動作で係止片３１ａ，３１ｂが外周側に移行し、蓋体Ｂの取り外しが可能となるものである。
【００３０】
以上のとおり本考案は、回動把手（操作部）３５の起立倒伏で蓋体Ｂのロック・アンロックを行うものであるから、回動把手３５を保持した状態で蓋体Ｂを被冠し倒伏して蓋体をロックし、或いはロック状態の蓋体Ｂの回動把手３５を引き起こしながら把持して引き上げれば蓋体Ｂが取り外されるように、蓋体Ｂの着脱が一連の動作で行うことができ、その操作性が格段向上したものである。
【符号の説明】
【００３１】
Ａ      容器体
Ｂ      蓋体
１      蓋本体
１１    安全機構用装着孔
１２    装着用ボルト孔
２      安全弁機構
２１    圧力調整摘
２２    放出口
３      ロック機構（開閉構造）
３１ａ，３１ｂ    係止片
３２ａ，３２ｂ    作動アーム
３２１ａ，３２１ｂ    連結突起
３２２ａ，３２２ｂ    挿通長孔
３２３    ダルマ型透孔
３３      カバー体
３３１ａ，３３１ｂ    固着螺子
３３２    確認孔
３４      回動体
３４１    軸部
３４２ａ，３４２ｂ    ガイド溝
３５    回動把手
３６    圧力動作体
【図１】
0003174577.tif 000003
【図２】
0003174577.tif 000004
【図３】
0003174577.tif 000005
【図４】
0003174577.tif 000006
【図５】
0003174577.tif 000007
【図６】
0003174577.tif 000008